(57)【要約】【課題】  水分の蒸散効果を維持しつつ、上方から見た場合の色調を容易に自然なものとでき、且つ長期に亘って自然な色調を保持することができる人工芝生製グラウンド及び人工芝生製グラウンドの製造方法を提供する。【解決手段】    芝糸間に粒状体を充填して粒状体層を設けた人工芝生を基礎層４０上に敷設した人工芝生製グラウンド１００において、粒状体層１０に粘土焼成物の粉砕片からなる粒状体１１を配合する。【選択図】  図１
2006265915.tif 000002
【特許請求の範囲】
【請求項１】
芝糸を基布に植設し、この基布の裏面にバッキング材を塗布して芝糸を固定し、上記植設された芝糸間に粒状体を充填して粒状体層を設けた人工芝生を基礎層上に敷設したグラウンドであって、該粒状体層に粘土焼成物の粉砕片からなる粒状体が配合されていることを特徴とする人工芝生製グラウンド。
【請求項２】
粘土焼成物の粉砕片からなる粒状体が、粒状体層の少なくとも表面付近に配合されていることを特徴とする請求項１記載の人工芝生製グラウンド。
【請求項３】
粘土焼成物は、瓦、煉瓦、陶器、磁器からなる群から選ばれた少なくとも一つで、廃棄されたものであることを特徴とする請求項１又は２記載の人工芝生製グラウンド。
【請求項４】
廃棄された粘土焼成物を回収し、該粘土焼成物を粉砕して得られた粉砕片を用いて、基布に植設した芝糸間に粒状体層を形成することを特徴とする人工芝生製グラウンドの製造方法。
【発明の詳細な説明】
【技術分野】
【０００１】
本発明は、合成樹脂製繊維からなる芝糸の間に砂などの粒状体を充填した人工芝生製グラウンドとその製法に関するものである。
【背景技術】
【０００２】
従来、基布に合成樹脂製繊維を芝糸としてタフティングマシンを用いて多本数植設し、この基布の裏面にゴムラテックス等のバッキング材を塗布して上記芝糸を固定し、この植設された芝糸間に砂等の粒状体を充填して粒状体層を設けた粒状体入り人工芝は、各種スポーツ用競技場の表面材として広く使用されている。
【０００３】
かかる人工芝において、充填材に浸透した水分の蒸散効果により表面温度の低下を図るものとしては、例えば特許文献１において、人工芝の基布の上に、繊維構造体等を用い基本的にパイル面と基布の間に位置され０．７〜３０ｍｍ、より好ましくは３〜１０ｍｍである水分保持層を有し、水分蒸散の気化熱による周辺環境の清涼化効果または競技場用として使用されるに際し擦過傷及び／又は火傷発生防止効果を有する水分保持型人工芝が開示されている。
【０００４】
また特許文献２において、充填材として硅酸分が８５％以上の天然硅砂および／または吸湿性合成樹脂粒子を用い、かつその下層に吸水性物質を敷いた砂入り人工芝グラウンドが開示されている。
【特許文献１】特開２００３−１２９４０８号公報
【特許文献２】特開平１−１３１６２７号公報
【発明の開示】
【発明が解決しようとする課題】
【０００５】
しかしながら、特許文献１及び２に記載の如き従来の人工芝では、上方から見ると、充填材として用いられている水分保持層や天然硅砂等が視認され、これらの充填材の色調により不自然な印象を受ける場合があり、充填材に顔料等を配合して自然な色調としても、長期の使用によって退色や脱色して不自然な色調となる恐れがあった。
【０００６】
本発明は上記の如き課題に鑑みてなされたものであり、上方から見た場合の色調を容易に自然なものとでき、且つ長期に亘って自然な色調を保持することができる人工芝生製グラウンド及び人工芝生製グラウンドの製造方法を提供するものである。
【課題を解決するための手段】
【０００７】
上記目的を達成するため、本発明は以下のような構成としている。すなわち、本発明に係わる人工芝生製グラウンドは、芝糸を基布に植設し、この基布の裏面にバッキング材を塗布して芝糸を固定し、上記植設された芝糸間に粒状体を充填して粒状体層を設けた人工芝生を基礎層上に敷設したグラウンドであって、該粒状体層に粘土焼成物の粉砕片からなる粒状体が配合されていることを特徴とするものである。
【０００８】
また粘土焼成物の粉砕片からなる粒状体が、粒状体層の少なくとも表面付近に配合されていることを特徴とするものである。
【０００９】
また粘土焼成物は、瓦、煉瓦、陶器、磁器からなる群から選ばれた少なくとも一つで、廃棄されたものであることを特徴とするものである。
【００１０】
また本発明に係わる人工芝生製グラウンドの製造方法は、廃棄された粘土焼成物を回収し、該粘土焼成物を粉砕して得られた粉砕片を用いて、基布に植設した芝糸間に粒状体層を形成することを特徴とするものである。
【発明の効果】
【００１１】
請求項１に記載の本発明に係わる人工芝生製グラウンドによれば、粘土焼成物に内在する多数の気泡により水分が保持され、その水分の蒸散効果によりグラウンド表面付近の温度を低下させることができるが、粒状体層に粘土焼成物を配合するのみで容易に土壌色に近似する薄茶色の色調が呈され、グラウンドを上方から見た場合でも自然な色調となり、更にはその色調が原材料である粘土に由来するものであるから、長期に亘って自然な色調を保持することができる。
【００１２】
また請求項２の発明によれば、粘土焼成物の粉砕片からなる粒状体が、粒状体層の少なくとも表面付近に配合されることにより、グラウンドを上方から見た場合に、粒状体が有する薄茶色の色調がより明確に呈され、より自然な色調にすることができ好ましい。
【００１３】
また請求項３の発明によれば、粘土焼成物は廃棄されたものであっても表面が汚損する程度で水分を保持する性能はそれ程低下することがなく、性能低下に繋がることなく且つ安価に粒状体層を形成することができ好ましい。
【００１４】
また請求項４に記載の本発明に係わる人工芝生製グラウンドの製造方法によれば、瓦、煉瓦、陶器、磁器といった粘土焼成物は、廃棄されても粘土に戻るまでには長い時間がかかり、また住宅廃材として大量に発生するものであり廃棄物として問題視されているが、かかる粘土焼成物を再利用して粒状体層を形成することで、廃棄物の発生量を低減し、また内在する気泡により保持された水分が蒸散することによりグラウンド表面の温度を低下させることができる粒状体層を安価に形成することができる。
【発明を実施するための最良の形態】
【００１５】
本発明に係わる最良の実施の形態について、図面に基づき以下に具体的に説明する。
【００１６】
図１は、本発明に係わる人工芝生製グラウンドの実施の一形態を示す断面図である。この人工芝生製グラウンド１００は、基礎層４０に人工芝生が敷設された後、砂散布機によって粒状体層１０が散布されて形成されている。そして、人工芝生は、ポリプロピレン製基布３０に、５５００デシデックスのナイロン製モノフィラメントヤーン２０１と５５００デシデックスの高密度ポリエチレン製スリットヤーン２０２を撚糸してなる芝糸２０を、糸重量１．４〜２．１ｋｇ／ｍ２、パイル長５０〜１００ｍｍになるように植毛して芝葉を形成したものである。
【００１７】
粒状体層１０は、人工芝生製グラウンドの表面に配置された表面層１と、表面層１の下の下層２の二層構造となされ、下層２は、粒径２ｍｍ以下の砂に約０．３〜３ｍｍのゴム粒が配合されて３０ｋｇ／ｍ２の割合で散布されている。表面層１は、粘土瓦材を粉砕した粒径０．５〜５ｍｍの粒状体１１のみで形成されており、粒状体１１に内包される気泡へ降雨や散水等により侵入した水が蒸発することで、その蒸散効果によりグラウンドの表面温度が低下するようになされている。
【００１８】
粒状体１１に用いられる粘土瓦材は、瓦材表面に気泡が顕在する素焼き瓦が好ましいが、瓦材を粉砕すれば粒状体１１表面に釉薬等が顕在する割合は小さくなることから特に限定されるものではなく、燻し瓦(黒瓦)、釉薬瓦、塩焼き瓦等を適宜用いることができる。また粘土焼成物であれば瓦材にも限定されるものではなく、煉瓦、陶器、磁器を粉砕したものなどを適宜用いることができる。粒状体１１として用いるものの粒径は０．５〜５ｍｍが好ましく、０．５ｍｍを下回ると粒状体層１０からの通気性が悪化して水分の蒸散が十分に行われなくなり、５ｍｍを上回ると歩行感の悪化や、粉砕後の粒状体１１に鋭利な部分ができやすくなることに繋がり好ましくない。
【００１９】
また、粘土焼成物は、廃棄された瓦材、煉瓦材、陶器片、磁器片などを回収して粉砕して用いるようにすれば、廃棄物の量の低減に繋がり、また粉砕により得られる粉砕片の粒径の上限を設定、例えば粒径５ｍｍ以下とし、粒径が０．５〜５ｍｍのものを粒状体１１として用い、粒径が０．５ｍｍを下回る微細な粉を粘土として再利用することで、廃棄された粘土焼成物の全てを再利用することが可能となり得る。
【００２０】
粒状体層１０は、上述の二層構造に限定されるものではなく、粒状体１１が表層付近に含まれるものであれば単層構造や三層以上の多層構造としてもよい。粒状体１１を含む層の厚みは５ｍｍ〜１５ｍｍが好ましく、厚さが５ｍｍを下回ると表面層１を形成する粒状体１１による被覆が十分でない部位ができやすく、適当な蒸散効果が得られにくくなる。厚さが１５ｍｍを超えるとグラウンドの表面特性がほとんどが粒状体１１の特性によるものとなり、人工芝生特有の柔軟性等の利点が得られにくくなる。
【実施例１】
【００２１】
（実施例）
上述の、図１に示した実施形態において、表面層を黒色の釉薬瓦材を粉砕した粒径約３ｍｍの粉砕片１００重量％により厚さ５ｍｍに形成し、下層は粒径２ｍｍ以下の砂２０重量％と粒径約２ｍｍのゴム粒８０重量％とを配合して厚さ４０ｍｍに形成し、本発明に係わる実施例の人工芝生製グラウンドを得た。
【００２２】
（比較例）
上述の、図１に示した実施形態において、表面層を設けずに下層のみを形成し、下層は粒径２ｍｍ以下の砂４０重量％と粒径約２ｍｍのゴム粒６０重量％とを配合して厚さ４０ｍｍに形成し、本発明に係わる比較例１の人工芝生製グラウンドを得た。
【００２３】
実施例及び比較例に係わる人工芝生製グラウンドを上方から視認して、その外観を確認したところ、実施例は芝糸の隙間から薄茶色の色調が視認され、あたかも土壌から芝生が叢生している如き自然な印象を受けるものとなった。比較例は、ゴム粒の黒色及び砂の灰白色が視認され、人工的で不自然な印象を受けるものとなっている。
【図面の簡単な説明】
【００２４】
【図１】本発明に係わる人工芝生製グラウンドの、実施の一形態を示す断面図である。
【符号の説明】
【００２５】
１    表面層
１１  粒状体
２    下層
１０  粒状体層
２０  芝糸
３０  基布
４０  基礎層
１００  人工芝生製グラウンド
【図１】
2006265915.tif 000003